(57)【要約】【課題】  本発明は、軽量化を図ることができる内燃機関用点火コイルを提供する。【解決手段】  コイル組立体収納ケースは、全体が一様な厚さで成形されており、コイル、鉄心、リード線、および高圧端子等を収納した後、内部に絶縁樹脂が充填される。前記コイル組立体収納ケースの底部における内面は、二次ボビンの外形にほぼ沿い、かつ、前記二次ボビンの外形よりやや大きめに成形されているとともに、下部に高圧端子収納部が連設されている。前記絶縁樹脂は、コイル組立体の底部と前記二次ボビンの間に、一様な厚さで充填されるため、無駄な絶縁樹脂を充填することなく、軽量な内燃機関用点火コイルとすることができる。【選択図】    図１
2006278673.tif 000002
【特許請求の範囲】
【請求項１】
一次ボビンに一次電線が巻回された一次コイルおよび二次ボビンに二次電線が巻回された二次コイルと、
前記一次コイルおよび二次コイルを磁気的に結合させる鉄心と、
前記コイルおよび鉄心等を収納する底部を有する収納部と前記底部に連設された筒状に突出した高圧端子を収納する高圧端子収納部とが一体に成形されているコイル組立体収納ケースと、
を少なくとも有する内燃機関用点火コイルにおいて、
前記コイル組立体収納ケースの底部は、前記二次ボビンの外形に沿い、かつ、前記二次ボビンの外形よりやや大きめに成形されていることを特徴とする内燃機関用点火コイル。
【請求項２】
前記底部の外周には、補強用リブが一体成形されていることを特徴とする請求項１に記載された内燃機関用点火コイル。
【発明の詳細な説明】
【技術分野】
【０００１】
本発明は、たとえば、自動車のエンジンの点火プラグにおいて、火花放電を発生させるために高電圧を供給する内燃機関用点火コイルに関するものである。
【背景技術】
【０００２】
図４は従来の内燃機関用点火コイルにおけるコイル組立体収納ケースを説明するための概念斜視図である。また、図５は図４におけるＡ−Ａ断面図である。図６は図４におけるＢ−Ｂ断面図である。図４から図５において、内燃機関用点火コイル３１は、たとえば、コイル組立体収納ケース３２と、前記コイル組立体収納ケース３２の一方の端部に設けられている取付部３２１と、前記取付部３２１の反対側に設けられているコネクタ部３２２と、前記コイル組立体収納ケース３２の内部に収納されたコイル組立体とから構成されている。
【０００３】
前記コイル組立体は、一次ボビン３１１と、前記一次ボビン３１１に電線が巻回された一次コイル３１２と、二次ボビン３１３と、前記二次ボビン３１３に電線が巻回された二次コイル３１４と、鉄心３１５と、二次側のリード線３１７と、前記リード線３１７に接続された高圧端子３１９とから構成されている。前記コイル組立体収納ケース３２は、前記コイル組立体を収納するとともに、前記コイル組立体の周囲を絶縁する絶縁充填材３１８が充填されている。また、前記コイル組立体収納ケース３２は、コイル組立体の下部を収納する底部３２３と、前記底部３２３に連設された高圧端子収納部３２５とから構成されている。
【０００４】
また、特開２００４−２４１６２１号公報の図２には、内燃機関用点火コイルに絶縁樹脂を充填して部品を絶縁および固定することが記載されている。
【特許文献１】特開２００４−２４１６２１号公報
【発明の開示】
【発明が解決しようとする課題】
【０００５】
前記コイル組立体収納ケース３２は、コイル組立体を収納するとともに、底部３２３に連設された高圧端子収納部３２５から構成されている。前記高圧端子収納部３２５は、前記コイル組立体収納ケース３２の底部３２３から徐々に細くなるように一体に成形されている。したがって、前記コイル組立体収納ケース３２は、リード線３１７および高圧端子３１９との間に充分な絶縁樹脂が充填され、絶縁が保持される。
【０００６】
しかし、前記コイル組立体収納ケース３２と前記リード線３１７および高圧端子３１９との間は、充分に開いているため、絶縁樹脂の充填量が必要以上に多くなり、内燃機関用点火コイルの軽量化ができないという問題があった。
【０００７】
以上のような課題を解決するために、本発明は、コイル組立体収納ケースの底部を前記二次ボビンの外形に沿い、かつ、前記二次ボビンの外形よりやや大きめに成形することにより、内燃機関用点火コイルの軽量化を図ることができる内燃機関用点火コイルを提供することを目的とする。また、本発明は、前記コイル組立体収納ケースの底部を前記形状とするとともに、補強用のリブを設けた内燃機関用点火コイルを提供することを目的とする。
【課題を解決するための手段】
【０００８】
（第１発明）
第１発明の内燃機関用点火コイルは、一次ボビンに一次電線が巻回された一次コイルおよび二次ボビンに二次電線が巻回された二次コイルと、前記一次コイルおよび二次コイルを磁気的に結合させる鉄心と、前記コイルおよび鉄心等を収納する底部を有する収納部と前記底部に連設された筒状に突出した高圧端子を収納する高圧端子収納部とが一体に成形されているコイル組立体収納ケースと、を少なくとも有しており、前記コイル組立体収納ケースの底部は、前記二次ボビンの外形に沿い、かつ、前記二次ボビンの外形よりやや大きめに成形されていることを特徴とする。
【０００９】
（第２発明）
第２発明の内燃機関用点火コイルは、第１発明における底部の外周に補強用リブが一体成形されていることを特徴とする。
【発明の効果】
【００１０】
本発明によれば、コイル組立体収納ケースの底部を前記二次ボビンの外形に沿い、かつ、前記二次ボビンの外形よりやや大きめに成形することにより、内燃機関用点火コイルの軽量化を図ることができた。
【００１１】
本発明によれば、コイル組立体収納ケースを前記形状にすることにより、絶縁樹脂の充填量をすくなくするとともに、前記コイル組立体収納ケースの下部における厚さを上部と同じように一様にしたため、前記絶縁樹脂と前記ケースの重さを軽くすることができるようになった。
【００１２】
本発明によれば、前記コイル組立体収納ケースの底部における厚さを薄くした際の補強にリブを設けることにより、軽量で、かつ、丈夫にすることができた。
【発明を実施するための最良の形態】
【００１３】
（第１発明）
第１発明の内燃機関用点火コイルは、一次ボビンに一次電線が巻回された一次コイルと、二次ボビンに二次電線が巻回された二次コイルと、前記一次コイルおよび二次コイルを磁気的に結合させる鉄心と、前記コイルおよび鉄心等を収納するコイル組立体収納ケース等を少なくとも備えている。前記コイル組立体収納ケースは、全体が一様な厚さで成形されており、前記コイル、鉄心、リード線、および高圧端子等を収納した後、内部に絶縁樹脂が充填される。前記コイル組立体収納ケースの底部における内面は、前記二次ボビンの外形にほぼ沿い、かつ、前記二次ボビンの外形よりやや大きめに成形されているとともに、下部に高圧端子収納部が連設されている。前記絶縁樹脂は、前記コイル組立体の底部と二次ボビンの間に、一様な厚さで充填されるため、無駄な絶縁樹脂を充填することなく、軽量な内燃機関用点火コイルとすることができる。前記コイル組立体収納ケースは、たとえば、射出成形により一体に成形されている。
【００１４】
（第２発明）
第２発明の内燃機関用点火コイルは、前記コイル組立体収納ケースにおける、前記二次ボビンの外形にほぼ沿った底部の外周に補強用のリブが設けられている。前記リブの数は、コイル組立体収納ケースの大きさ等により、任意に決めることができる。また、前記リブの形状は、前記コイル組立体収納ケースの底部における縦方向に成形されることが望ましい。
【実施例１】
【００１５】
図１は本発明の一実施例で、内燃機関用点火コイルにおけるコイル組立体収納ケースを説明するための概念斜視図である。また、図２は図１におけるＡ−Ａ断面図である。図３は図１におけるＢ−Ｂ断面図である。図１から図３において、内燃機関用点火コイル１１は、たとえば、コイル組立体収納ケース１２と、前記コイル組立体収納ケース１２の一方の端部に設けられている取付部１２１と、前記取付部１２１の反対側に設けられているコネクタ部１２２と、前記コイル組立体収納ケース１２の内部に収納されたコイル組立体とから構成されている。
【００１６】
前記コイル組立体は、一次ボビン１１１と、前記一次ボビン１１１に電線が巻回された一次コイル１１２と、二次ボビン１１３と、前記二次ボビン１１３に電線が巻回された二次コイル１１４と、鉄心１１５と、二次側のリード線１１７と、前記リード線１１７に接続された高圧端子１１９とから構成されている。前記コイル組立体収納ケース１２は、前記コイル組立体を収納するとともに、前記コイル組立体の周囲を絶縁する絶縁充填材１１８が充填されている。また、前記コイル組立体収納ケース１２は、コイル組立体の下部を収納する底部１２３と、前記底部１２３に連設された高圧端子収納部１２５とから構成されている。
【００１７】
前記底部１２３における内面は、前記二次ボビン１１３のほぼ半球状外形に沿い、かつ、前記二次ボビン１１３の外形よりやや大きめに成形されている。前記底部１２３は、前記コイル組立体収納ケース１２の上部とほぼ同じ厚さとすることにより、さらに、軽量化を図ることができる。ただし、前記コイル組立体収納ケース１２の上部とほぼ同じで、厚さを一様にした場合、前記底部１２３は、強度を保つように任意の数、たとえば、４個のリブ１２４を設けることができる。前記リブ１２４は、前記コイル組立体収納ケース１２の縦方向に設けるのが望ましい。
【産業上の利用可能性】
【００１８】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の実施例に記載された内燃機関用点火コイルの一次および二次コイル、鉄心、絶縁樹脂、ケース等は、公知または周知の材質のものを使用することができる。
【図面の簡単な説明】
【００１９】
【図１】本発明の一実施例で、内燃機関用点火コイルにおけるコイル組立体収納ケースを説明するための概念斜視図である。（実施例１、実施例２）
【図２】図１におけるＡ−Ａ断面図である。
【図３】図１におけるＢ−Ｂ断面図である。
【図４】従来の内燃機関用点火コイルにおけるコイル組立体収納ケースを説明するための概念斜視図である。
【図５】図４におけるＡ−Ａ断面図である。
【図６】図４におけるＢ−Ｂ断面図である。
【符号の説明】
【００２０】
１１・・・内燃機関用点火コイル
１１１・・・一次ボビン
１１２・・・一次コイル
１１３・・・二次ボビン
１１４・・・二次コイル
１１５・・・鉄心
１１７・・・リード線
１１８・・・絶縁充填材
１１９・・・高圧端子
１２・・・コイル組立体収納ケース
１２１・・・取付部
１２２・・・コネクタ部
１２３・・・底部
１２４・・・リブ
１２５・・・高圧端子収納部
【図１】
2006278673.tif 000003
【図２】
2006278673.tif 000004
【図３】
2006278673.tif 000005
【図４】
2006278673.tif 000006
【図５】
2006278673.tif 000007
【図６】
2006278673.tif 000008